(57)【要約】【課題】  既存の標準的な機能を利用した安価なシステムでありながら、スケジュール管理の有効利用を実現することができるＶｏＩＰ電話システムを提供する。【解決手段】  複数台のコンピュータと接続されてファイルやデータの共有化を図るグループウエアサーバ１０と、表示機能を備えた複数のＶｏＩＰ電話端末２２を利用して複数のＶｏＩＰ電話端末２２同士での通話並びにインターネット網２５若しくは電話回線網２７を経由した通話を実現するＳＩＰサーバ２３とを備え、グループウエアサーバ１０で管理する共有スケジュールデータに関する通知要求がＳＩＰサーバ２３へと送信された際にはＳＩＰサーバ２３から複数のＶｏＩＰ電話端末２２へと送信されたＩＮＶＩＴＥリクエストのＦｒｏｍヘッダに共有スケジュールデータを畳重して表示機能に内容表示する。【選択図】        図１
2006222666.tif 000002
【特許請求の範囲】
【請求項１】
複数台のコンピュータと接続されてファイルやデータの共有化を図るグループウエアサーバと、表示機能を備えた複数のＶｏＩＰ電話端末を利用して該複数のＶｏＩＰ電話端末同士での通話並びにインターネット網若しくは電話回線網を経由した通話を実現するＳＩＰサーバとを備え、前記グループウエアサーバで管理する共有スケジュールデータに関する通知要求が前記ＳＩＰサーバへと送信された際には該ＳＩＰサーバから前記複数のＶｏＩＰ電話端末へと送信されたＩＮＶＩＴＥリクエストのＦｒｏｍヘッダに前記共有スケジュールデータを畳重して前記表示機能に内容表示することを特徴とするＶｏＩＰ電話システム。
【請求項２】
前記共有スケジュールデータの表示内容量が前記表示機能の設定表示内容量を超えている場合には、前記ＳＩＰサーバは前記設定表示内容量に応じて前記表示内容量を分割して前記表示機能に切替内容表示することを特徴とする請求項１に記載のＶｏＩＰ電話システム。
【請求項３】
前記共有スケジュールデータを前記表示機能に表示する際には、前記ＶｏＩＰ電話端末のアラーム音機能を利用して報知することを特徴とする請求項１又は請求項２に記載のＶｏＩＰ電話システム。
【発明の詳細な説明】
【技術分野】
【０００１】
本発明は、ＶｏＩＰ（Ｖｏｉｃｅ ｏｖｅｒ  Ｉｎｔｅｒｎｅｔ  Ｐｒｏｔｏｃｏｌ）電話システム、特に、複数台のコンピュータと接続されてファイルやデータの共有化を図るグループウエアサーバと、表示機能を備えた複数のＶｏＩＰ電話端末を利用して該複数のＶｏＩＰ電話端末同士での通話並びにインターネット網若しくは電話回線網を経由した通話を実現するＳＩＰサーバとを備えたＶｏＩＰ電話システムに関する。
【背景技術】
【０００２】
近年、インターネットの普及並びに通信速度の向上等により、インターネット・プロトコル（Ｉｎｔｅｒｎｅｔ  Ｐｒｏｔｏｃｏｌ＝ＩＰ）ネットワークを利用して音声信号を送る技術であるＶｏＩＰを用いて電話通信を可能としたＶｏＩＰ電話システムが提供されている。
【０００３】
このＶｏＩＰ電話システムは、例えば、一般のＬＡＮ（ローカル・エリア・ネットワーク）用の規格であるＩＴＵ‐Ｔ勧告Ｈ.３２３を用いて構成され、ＶｏＩＰ電話システムの代表的な呼制御プロトコルとしてはＳＩＰ（Ｓｅｓｓｉｏｎ  Ｉｎｉｔｉａｔｉｏｎ  Ｐｒｏｔｏｃｏｌ）を用いている。
【０００４】
また、ＶｏＩＰ電話システムでは、アナログ電話システムと同様の機能を備えるように考慮されていると共に、アナログ電話システムでは実現し得なかった各種機能を付加価値として具備することができる。
【０００５】
その一つとして、ＩＰ電話機能をパーソナルコンピュータで実現するソフトフォンを用いることによる、スケジュール管理やファイル共有などのグループウエア機能を活用しながら通話するといったＶｏＩＰ電話システムが考えられている（例えば、非特許文献１参照。）。
【非特許文献１】http://itpro.nikkeibp.co.jp/NI2004/voip.shtml
【発明の開示】
【発明が解決しようとする課題】
【０００６】
ところで、上述した非特許文献１に開示のＶｏＩＰ電話システムにあっては、スケジュール管理に関する具体的なシステムや利用形態が何ら開示されておらず、今後の展開としての機能を示唆するのみであった。
【０００７】
そこで、本発明は、上記事情を考慮し、既存の標準的な機能を利用した安価なシステムでありながら、スケジュール管理の有効利用を実現することができるＶｏＩＰ電話システムを提供することを目的とする。
【課題を解決するための手段】
【０００８】
請求項１に記載のＶｏＩＰ電話システムは、複数台のコンピュータと接続されてファイルやデータの共有化を図るグループウエアサーバと、表示機能を備えた複数のＶｏＩＰ電話端末を利用して該複数のＶｏＩＰ電話端末同士での通話並びにインターネット網若しくは電話回線網を経由した通話を実現するＳＩＰサーバとを備え、前記グループウエアサーバで管理する共有スケジュールデータに関する通知要求が前記ＳＩＰサーバへと送信された際には該ＳＩＰサーバから前記複数のＶｏＩＰ電話端末へと送信されたＩＮＶＩＴＥリクエストのＦｒｏｍヘッダに前記共有スケジュールデータを畳重して前記表示機能に内容表示することを特徴とする。
【０００９】
請求項１に記載のＶｏＩＰ電話システムによれば、ＶｏＩＰ電話端末の表示機能に発呼元の電話番号表示を表示させるためのＦｒｏｍヘッダを利用してグループウエアサーバで管理する共有スケジュールデータをＳＩＰサーバを介して表示させることができる。
【００１０】
従って、特別な専用ハードウエアを追加した表示命令システムを構築することなく、既存の標準的な機能を利用した安価なシステムでスケジュール管理の有効利用を実現することができる。
【００１１】
尚、ここでのＶｏＩＰ電話端末とは、表示機能（表示部）やダイヤル操作部並びにハンドセットといった電話機形式のＶｏＩＰ専用電話端末の他、音声通話機能を具備したパーソナルコンピュータを含むものとする。
【００１２】
請求項２に記載のＶｏＩＰ電話システムは、請求項１に記載のＶｏＩＰ電話システムにおいて、前記共有スケジュールデータの表示内容量が前記表示機能の設定表示内容量を超えている場合には、前記ＳＩＰサーバは前記設定表示内容量に応じて前記表示内容量を分割して前記表示機能に切替内容表示することを特徴とする。
【００１３】
請求項２に記載のＶｏＩＰ電話システムによれば、ＶｏＩＰ電話端末の表示機能、特に、ＶｏＩＰ専用電話端末の表示部では設定表示内容量（表示可能な文字数量等）が小さいことから、表示したいスケジュール内容量（文字数量）に対応した表示内容量が設定表示内容量よりも大容量であった場合には、設定表示内容量に応じて表示内容量を適宜分割して表示機能に表示させることで所望の表示内容量の全てを表示することが可能となる。
【００１４】
請求項３に記載のＶｏＩＰ電話システムは、請求項１又は請求項２に記載のＶｏＩＰ電話システムにおいて、前記共有スケジュールデータを前記表示機能に表示する際には、前記ＶｏＩＰ電話端末のアラーム音機能を利用して報知することを特徴とする。
【００１５】
請求項３に記載のＶｏＩＰ電話システムによれば、アラーム発音ヘッダ（Ａｌｅｒｔ−Ｉｎｆｏ）といった既存の着信音指定機能を利用してスケジュール表示がなされている旨を利用者に報知することができる。
【発明の効果】
【００１６】
請求項１に記載のＶｏＩＰ電話システムによれば、複数台のコンピュータを接続したグループウエアサーバによりファイルやデータの共有化が図られ、表示機能を備えた複数のＶｏＩＰ電話端末を接続すると共にこの複数のＶｏＩＰ電話端末同士での通話並びにインターネット網若しくは電話回線網を経由した通話がＳＩＰサーバにより実現されると共に、グループウエアサーバで管理する共有スケジュールデータに関する通知要求がＳＩＰサーバへと送信された際にはこのＳＩＰサーバから複数のＶｏＩＰ電話端末へとＩＮＶＩＴＥリクエストが送信されると同時にそのＩＮＶＩＴＥリクエストに含まれるＦｒｏｍヘッダにグループウエアサーバから送信された共有スケジュールデータが畳重され、ＶｏＩＰ電話端末の表示機能に共有スケジュールが表示されることにより、既存の標準的な機能を利用した安価なシステムでありながら、スケジュール管理の有効利用を実現することができる。
【００１７】
請求項２に記載のＶｏＩＰ電話システムによれば、ＳＩＰサーバは表示機能の設定表示内容量に応じて共有スケジュールデータの表示内容量を分割したうえで表示機能に切替内容表示することにより、所望の表示内容量の全てを表示することができる。
【００１８】
請求項３に記載のＶｏＩＰ電話システムによれば、ＶｏＩＰ電話端末のアラーム音機能を利用して共有スケジュールデータを表示機能に表示する際に報知することにより、スケジュール表示がなされている旨を利用者に報知することができる。
【発明を実施するための最良の形態】
【００１９】
次に、本発明の一実施形態に係るＶｏＩＰ電話システムについて、図面を参照して説明する。
【００２０】
図１は本発明のＶｏＩｐ電話システムのシステムブロック図である。
【００２１】
図１において、本発明のＶｏＩＰ電話システムは、複数のパーソナルコンピュータ（図示せず）とネットワーク接続されて各パーソナルコンピュータから入力されたデータをメモリ１１に記憶するグループウエアサーバ１０と、このグループウエアサーバ１０とは独立（若しくはネットワーク接続）された音声通信機能を具備したＶｏＩＰ電話端末としての複数のパソコン端末（パーソナルコンピュータ）２１及びＬＥＤ表示部等の表示機能やダイヤル操作部並びにハンドセット（共に図示せず）といった電話機形式のＶｏＩＰ専用のＶｏＩＰ電話端末２２とを接続してＩＰに基づいた通信により呼び制御を行うＳＩＰサーバ２３とを備えている。
【００２２】
グループウエアサーバ１０は、キーボード等の入力部１２からの入力操作により制御部１３を介してその入力情報をメモリ１１に記憶することができ、上述したパーソナルコンピュータから入力されてメモリ１１に記憶された情報と共に一元的にグループ管理するものである。また、この操作状況等はモニタ等の表示部１４に表示される。さらに、グループウエアサーバ１０はLANによりＳＩＰサーバ２３とも接続されている。
【００２３】
ＳＩＰサーバ２３は、ＶｏＩＰ電話端末としての機能を具備するパソコン端末２１やＶｏＩＰ電話端末２２とのＶｏＩＰ音声通話を可能とすると共に、ルータ２４を経由してのインターネット網２５を利用したＶｏＩＰ電話通信の他、ゲートウエイ２６を経由しての電話回線網２７を利用した加入者電話装置２８との一般音声通話を可能とする。
【００２４】
尚、これらのＶｏＩＰ音声通話や一般音声通話に関するシステム等は公知であるため、ここではその詳細な説明は省略する。
【００２５】
一方、グループウエアサーバ１０は、ＳＩＰサーバ２３を利用してパソコン端末２１やＶｏＩＰ電話端末２２の各表示機能にスケジュールを表示させることができる。
【００２６】
図２は、本発明のＶｏＩＰ電話システムにおけるスケジュール表示を行う場合の具体的なシーケンス図である。尚、このシーケンスでは、ＶｏＩＰ電話システムの代表的な呼制御プロトコルとしてＳＩＰ（Ｓｅｓｓｉｏｎ  Ｉｎｉｔｉａｔｉｏｎ  Ｐｒｏｔｏｃｏｌ）を用いており、以下に示すメゾット（制御機能）とレスポンスコード（応答）とを用いている。
【００２７】
先ず始めに、グループウエアサーバ１０のメモリ１１に記憶されている共有のスケジュール情報が予め設定された時間（例えば、当日のスケジュールであれば朝の９時）、グループウエアサーバ１０又はパーソナルコンピュータからのスケジュール送信指令の追加入力時等、グループウエアサーバ１０からＳＩＰサーバ２３にスケジュール通知要求が送信されると、ＳＩＰサーバ２３は全ての或いはグループウエアサーバ１０で指定されたパソコン端末２１やＶｏＩＰ電話端末２２（以下、説明の便宜上一つのＶｏＩＰ電話端末２２に対して行うものとする）に対して“ＩＮＶＥＴＥ”メゾットを送信（リクエスト）する。
【００２８】
この“ＩＮＶＥＴＥ”メゾットのリクエストメッセージ中には、“Ｆｒｏｍ”ヘッダが含まれている。この“Ｆｒｏｍ”ヘッダは、通常のＶｏＩＰ電話通信時には発信番号を相手先に通知するか否かと通知する場合の自番号がデータに畳重されている。
【００２９】
例えば、発信番号（自番号）を通知する場合には、「ｓｉｐ：自番号＠網アドレス」が送信条件として設定され、発信番号を通知しない場合にはダミー（ａｎｏｎｙｍｏｕｓ＠ｌｏｃａｌｈｏｓｔ）が設定される。
【００３０】
従って、ここでは通話のための“ＩＮＶＥＴＥ”メゾットではないことから、発信番号を通知する必要がないため、発信番号を通知する場合の「自番号」の部分（Ｄｉｓｐｌａｙ  Ｎａｍｅ部）に共有スケジュールデータを畳重することにより、表示機能へのスケジュール文字の表示が可能となる。
【００３１】
一方、“ＩＮＶＥＴＥ”メゾットを受信したＶｏＩＰ電話端末２２は、セッション要求に対し、レスポンスコード１００の“Ｔｒｙｉｎｇ（試行中）”をＳＩＰサーバ２３に通知応答する。
【００３２】
また、ＶｏＩＰ電話端末２２は、レスポンスコード１８０の“Ｒｉｎｇｉｎｇ（呼出中）”メゾットをＳＩＰサーバ２３に送信する。
【００３３】
ＳＩＰサーバ２３は、レスポンスコード１８０の“Ｒｉｎｇｉｎｇ（呼出中）”を受信したことにより、“ＩＶＥＴＥ”メゾットに含まれたスケジュールの表示がなされたとして“ＣＡＮＣＥＬ（キャンセル）”メゾットをＶｏＩＰ電話端末２２に送信する。
【００３４】
尚、スケジュール情報の実メッセージ、即ち、共有スケジュールデータの表示内容量である表示文字数に対してＶｏＩＰ電話端末２２の表示機能の設定表示内容量である文字数が少ない場合、ＶｏＩＰ電話端末２２の表示機能の表示可能な文字数に相当する設定表示内容量毎に共有スケジュールデータの表示内容量を分割し、上述した“ＩＮＶＩＴＥ”メゾットの送信から“ＣＡＮＣＥＬ”メゾットの送信までを繰り返して表示機能に切替内容表示することにより、所望の表示内容量の全てを表示することができる。
【００３５】
また、“ＣＡＮＣＥＬ”メゾットを受信したＶｏＩＰ電話端末２２は、レスポンスコード２００の“ＯＫ（成功）”をＳＩＰサーバ２３に送信した後、レスポンスコード４８７の“Ｒｅｑｕｅｓｔ  Ｔｅｒｍｉｎａｔｅｄ（“ＣＡＮＣＥＬ”メゾットによる終了）”をＳＩＰサーバ２３に送信する。
【００３６】
そして、ＳＩＰサーバ２３は、スケジュール表示のための“ＩＮＶＩＴＥ”メゾットに対する最終応答受信の“ＡＣＫ”メゾットをＶｏＩＰ電話端末２２に送信してスケジュール表示を終了する。
【００３７】
尚、スケジュール表示を行う際に、表示機能にスケジュール表示を行う旨をＶｏＩＰ電話端末２２の利用者に報知するため、既存の着信音指定機能である“Ａｌｅｒｔ−Ｉｎｆｏ（アラーム）”ヘッダを利用しても良い。
【００３８】
このように、本発明のＶｏＩＰ電話システムにあっては、既存のシステムをそのまま利用して新規なハードウエアの追加を行うことなくグループで共有するスケジュールをＶｏＩＰ電話端末（パソコン端末２１を含む）２２の表示機能に表示させることができる。
【図面の簡単な説明】
【００３９】
【図１】本発明のＶｏＩＰ電話システムのシステムブロック図である。
【図２】本発明のＶｏＩＰ電話システムにおけるスケジュール表示を行う場合の具体的なシーケンス図である。
【符号の説明】
【００４０】
１０…グループウエアサーバ
２１…パソコン端末（ＶｏＩＰ電話端末）
２２…ＶｏＩＰ電話端末
２３…ＳＩＰサーバ
２５…インターネット網
２７…電話回線網
【図１】
2006222666.tif 000003
【図２】
2006222666.tif 000004